(57)【特許請求の範囲】
【請求項１】
水廻り器具の下流側に配置され、封水が貯留される封水流路部と、
前記封水流路部の下流端から連続され、封水の下流側満水水面から下流側への排水路を形成する高水位流路部と、
前記封水流路部の最下部から前記高水位流路部の最高水位到達部までの間の異物流入防止部材設置範囲の前記高水位流路部に配置され、排水路を横切るように側面視で上流側に面する端面が下方に向くリブと、前記高水位流路部の内周に沿って配置される筒部とを有し、前記端面に対する垂線が前記筒部の筒軸に対して傾斜している、異物流入防止部材と、
を備えた排水トラップ。
【請求項２】
前記異物流入防止部材設置範囲において互いに別体の上流口部と下流口部とが分割可能に連結されて構成され、前記異物流入防止部材は前記上流口部と下流口部の連結部分に配置されていること、を特徴とする請求項１に記載の排水トラップ。
【発明の詳細な説明】
【技術分野】
【０００１】
本発明は、排水路に設置されて封水を確保する排水トラップに関する。
【背景技術】
【０００２】
従来から、台所シンクや洗面器等の水廻りの排水口には、排水管への異物の流入を抑制するために、目皿や籠等の異物流入防止部材が設置されている（特許文献１参照）。ある程度大きな固形物や頭髪などは、異物流入防止部材の上に残り、液体が排水管へと流入することから、排水管の詰まりが抑制されている。また、異物流入防止部材の上に残った異物を、ユーザーが除去することができる。
【０００３】
ところで、近年、排水システムとして、従来の勾配排水システムに代わって、サイフォン排水システムが提案されている（特許文献２参照）。このサイフォン排水システムは、サイフォン力を利用して排水を行うものであり、従来のような勾配が不要であるため床下スペースが確保し難い場合に有効であると共に、排水管（サイフォン排水管）の自浄作用を有している等のメリットを有している。このサイフォン排水システムに用いられるサイフォン排水管は、従来の勾配排水システムの排水管と比較して口径が小さい。したがって、異物流入を、より確実に抑制する必要がある。
そこで、排水管の途中での異物流入防止が一つの方法として考えられるが、水廻り器具から下流の箇所である、床下や壁内等で排水の流れが滞った場合、大掛かりな工事が必要となるおそれがあり、工事を伴わない簡易に清掃が可能な箇所で異物流入を防止する必要がある。
また、特許文献１のような形状の異物流入防止部材は、従来から広く知られているが、排水の流れ方向が上方から下方である位置に配置されているため、排水の流入が終了した後も異物の自重により異物流入防止部材に異物が留まり堆積され続けるため、早期に排水管が閉塞するおそれがある。
【先行技術文献】
【特許文献】
【０００４】
【特許文献１】特開２００１−９５６９９号公報
【特許文献２】特開２００６−２１４２０４号公報
【発明の概要】
【発明が解決しようとする課題】
【０００５】
本発明は、上記事実を考慮してなされたものであり、簡易に清掃が可能な箇所で排水管への異物の流入を抑制し、かつ、異物流入防止部材の目詰まりを抑制することが可能な排水トラップを提供することを目的とする。
【課題を解決するための手段】
【０００６】
本発明の請求項１に係る排水トラップは、水廻り器具の下流側に配置され、封水が貯留される封水流路部と、前記封水流路部の下流端から連続され、封水の下流側満水水面から下流側への排水路を形成する高水位流路部と、前記封水流路部の最下部から前記高水位流路部の最高水位到達部までの間の異物流入防止部材設置範囲の前記高水位流路部に配置され、排水路を横切るように側面視で上流側に面する端面が下方に向くリブと、前記高水位流路部の内周に沿って配置される筒部とを有し、前記端面に対する垂線が前記筒部の筒軸に対して傾斜している、異物流入防止部材と、を備えている。
【０００７】
請求項１に係る排水トラップによれば、排水に混入している異物は、異物流入防止部材により下流側への流入が防止される。
本発明では、側面視で、異物流入防止部材の上流側に面する端面が下方に向くように取り付けられているので、流入が防止された異物は、封水流路部の最下部へ向かって落ちることになる。したがって、異物の堆積による異物流入防止部材の詰まりを抑制して、スムーズに排水を行うことができる。
また、排水トラップに異物流入防止部材が設けられているので、排水トラップに通常設けられている清掃口から簡易に異物流入防止部材の清掃を行うことができる。
【０００８】
本発明の請求項１に係る排水トラップは、前記異物流入防止部材が、前記高水位流路部に配置されている。
【０００９】
請求項１に係る排水トラップによれば、封水の水面よりも高い位置に異物流入防止部材が配置されているので、封水流路部の最下部からの距離を長く確保することができ、より確実に異物流入防止部材の目詰まりを防止することができる。
【００１０】
本発明の請求項１に係る排水トラップは、前記異物流入防止部材が、前記高水位流路部の内周に沿って配置される筒部を備え、前記端面に対する垂線は前記筒部の筒軸に対して傾斜している。
【００１１】
請求項１に係る排水トラップによれば、異物流入防止部材の筒部を高水位流路部の内周に沿って配置することにより、容易に上流側の端面を下方に向けて配置することができる。
【００１２】
本発明の請求項２に係る排水トラップは、異物流入防止部材設置範囲において互いに別体の上流口部と下流口部とが分割可能に連結されて構成され、前記異物流入防止部材は前記上流口部と下流口部の連結部分に配置されていること、を特徴とする。
【００１３】
請求項２に係る排水トラップによれば、異物流入防止部材が排水トラップの分割可能な構造を有する上流口部と下流口部の連結部分に配置されているので、異物流入防止部材を容易に着脱することができる。
【発明の効果】
【００１４】
以上説明したように、本発明に係る排水トラップによれば、排水管への異物の流入を抑制しつつ異物流入防止部材の目詰まりを抑制して、排水をスムーズに行わせることができる。
【図面の簡単な説明】
【００１５】
【図１】第１実施形態の排水トラップを一部破断して示した側面図である。
【図２】（Ａ）は、第１実施形態の異物流入防止部材の斜視図であり、（Ｂ）（Ｃ）は、第１実施形態の異物流入防止部材の変形例の正面図である。
【図３】第２実施形態の排水トラップの（Ａ）は一部破断して示した分解側面図であり、（Ｂ）は連結状態の一部破断側面図である。
【発明を実施するための形態】
【００１６】
［第１実施形態］
【００１７】
以下、本発明を実施するための第１実施形態を図面に基づき説明する。ここでは、サイフォン排水システムに、本発明の排水トラップが適用された例について説明する。
【００１８】
図１に示されるように、本実施形態の排水トラップ２０は、水廻り器具１２の下流側に配置された所謂Ｓ字トラップであり、封水流路部２２、及び、高水位流路部３０を備えている。封水流路部２２、及び、高水位流路部３０の内側には、排水路１６が構成されている。
【００１９】
封水流路部２２は、略Ｕ字状をなしており、上流部２４、底部２６、及び、下流部２８を有している。上流部２４は、封水流路部２２の上流側に配置されて排水が下向きに流れる流路部分であり、水廻り器具１２からの器具排水管１４の下流端が連結されている。底部２６は、Ｕ字状の底部分で排水の流れる方向が下向きから上向きに変化する部分であり、上流部２４から連続して形成されている。下流部２８は、底部２６から連続して形成され、排水が上向きに流れる流路部分である。封水流路部２２には、排水流出後に封水が貯留される。封水が満水時の下流側満水水面２２Ｐは、下流部２８の上端となる。
【００２０】
底部２６の下面には、清掃口２６Ａが形成されている。清掃口２６Ａは、排水路１６と連通された下向きに開口の円筒状とされており、キャップ２６Ｃが取り付けられている。清掃口２６Ａは、キャップ２６Ｃの着脱により開閉可能とされている。底部２６において排水路１６を流れる排水の水位が最低になる部分の径方向の全体を最下部２６Ｂとする。
【００２１】
下流部２８の下流側には、高水位流路部３０が連続的に配置されている。高水位流路部３０は、排水の流れる方向が上向きから徐々に水平方向に変化する高位部３２、及び、高位部３２から連続して下流側に形成され、排水が下向きに流れる排出部３４を有している。高位部３２で排水路１６を流れる排水の水位が最高になる部分の径方向の全体を最高水位到達部３２Ｐとする。高位部３２と排出部３４の境界部分には、通気部３６が形成されている。通気部３６は、排水路１６と連通された上向きに開口の円筒状とされており、円筒の内周にネジ部３６Ａが形成されている。通気部３６には、ネジ部３６Ａに通気弁３６Ｂが螺合されて取り付けられている。通気弁３６Ｂは、排水路１６が負圧となったときに、外気を排水路１６へ導入する。通気弁３６Ｂは、着脱可能とされている。
【００２２】
高位部３２の内周壁には、係合部３２Ａが形成されている。係合部３２Ａは、最高水位到達部３２Ｐに全周にわたって形成されている。係合部３２Ａは、水平方向に延びる拡径孔で形成されている。係合部３２Ａには、異物流入防止部材４０が取り付けられている。図２（Ａ）に示されるように、異物流入防止部材４０は、円筒状の筒部４２及びリブ４４を有している。筒部４２は円筒状とされ、筒部４２の内側に、筒軸方向からみて十字状のリブ４４が形成されている。リブ４４は、側方から見て、その垂線が筒軸に対して傾斜しており、上流側に面する端面４４Ｆが下方を向くように傾斜している。筒部４２は、高位部３２の係合部３２Ａに嵌合されている。
なお、ここで下方を向くとは、端面４４Ｆの垂線が水平方向に対して下向きに傾斜していることをいう。
【００２３】
排出部３４の下流端部には、サイフォン排水管５０が連結されている。サイフォン排水管５０は、サイフォン作用を発生させるために適切な内径とされている（１５ｍｍ〜３０ｍｍ）。なお、排水トラップ２０の排出部３４についても、接続の容易性及び排水の円滑性を考慮して、サイフォン排水管５０と同様の内径を採用している。
【００２４】
封水流路部２２、及び、高水位流路部３０は、樹脂により一体的に形成することができる。なお、必ずしも一体的に形成する必要はなく、複数流路を連結させたものであってもよい。また、必ずしも樹脂製である必要はなく、金属製であってもよい。
【００２５】
次に、本実施形態の作用について説明する。
【００２６】
水廻り器具１２から流出された排水は、封水流路部２２から排水トラップ２０へ流入し、上流部２４、底部２６、下流部２８、高水位流路部３０の高位部３２、及び、排出部３４を経て、サイフォン排水管５０へ流出される。排水トラップ２０の排水路１６を流れる排水内に混入する異物は、異物流入防止部材４０により下流側への移動が防止される。このとき、異物流入防止部材４０のリブ４４は、上流側の面４４Ｆが下方を向くように傾斜しているので、排出部３４への流入が防止された異物は上流側、即ち、封水流路部２２の最下部２６Ｂへ向かって落ちる。したがって、異物の堆積による異物流入防止部材４０の目詰まりが抑制され、スムーズに排水を行うことができる。
【００２７】
なお、本実施形態では、異物流入防止部材４０が高水位流路部３０の高位部３２に取り付けられた例について説明したが、異物流入防止部材４０は、上流側の面が下方を向くように配置されていれば、最下部２６Ｂから最高水位到達部３２Ｐの間（異物流入防止部材設置範囲Ｅ）のいずれの位置に取り付けられていてもよい。本実施形態のように、異物流入防止部材４０が高水位流路部３０の高位部３２に取り付けられていることにより、封水中に浮遊する異物による異物流入防止部材４０の目詰まりを防止することができる。また、排水の終了後は異物への浮力は失われて、高位部３２から下方へ落ちやすくなるので、異物の異物流入防止部材への絡みつき等を抑制することができる。さらに、最下部２６Ｂから異物流入防止部材４０までの距離を長く確保することができるので、最下部２６Ｂに滞留する異物により異物流入防止部材４０が目詰まりすることを抑制することができる。
【００２８】
また、本実施形態では、異物流入防止部材４０が円筒状の筒部４２を有し、筒部４２内側のリブ４４は筒軸を垂線とする平面に対して傾斜している。したがって、筒部４２を高位部３２の内周壁に形成された係合部３２Ａに嵌合させることにより、容易にリブ４４の上流側の面４４Ｆが下方を向くように取り付けることができる。
【００２９】
なお、本実施形態では、異物流入防止部材４０として、筒部４２と十字状のリブ４４を備えたものを用いたが、異物流入防止が可能な形状であればよく、他の形状のもの、例えば、図２（Ｂ）に示すように、筒部４２の内側に互いに平行な複数のリブ４４Ａが配置されたものや、図２（Ｃ）に示すように、筒部４２の内側に別の筒体４４Ｂを配置し筒体４４Ｂと筒部４２を連結するリブ４４Ｃが配置されたものや、網目状のものを用いてもよい。また、材質については樹脂製や、金属製であってもよい。
【００３０】
また、本実施形態では、水廻り器具１２に排水トラップ２０が直接接続された例について説明したが、水廻り器具１２と排水トラップ２０の間に、例えばディスポーザなどの別装置が配設されていてもよい。
【００３１】
また、本実施形態では、最下部２６Ｂに清掃口２６Ａが設けられている例について説明したが、清掃口２６Ａは必ずしも必要ではない。本実施形態のように、清掃口２６Ａを設けることにより、最下部２６Ｂに滞留する異物を容易に除去することができる。
【００３２】
また、本実施形態では、排水トラップとしてＳ字トラップに本発明が適用された例について説明したが、Ｐ字トラップやＵ字トラップ等の他の排水トラップに本発明を適用してもよい。
【００３３】
また、本実施形態では、異物流入防止部材４０を別体としたが、高水位流路部３０と一体成形で一体的に形成してもよい。また、キャップ２６Ｃや封水流路部２２、高水位流路部３０等の他の部材とも樹脂により一体的に形成してもよい。また、必ずしも樹脂製である必要はなく、金属製であってもよい。
【００３４】
また、本実施形態では、通気弁３６Ｂと異物流入防止部材４０を別体としたが、一体的に形成してもよい。
【００３５】
また、本実施形態では、サイフォン排水システムに本発明の排水トラップを適用された例について説明したが、従来の勾配排水システムに本発明の排水トラップを適用してもよい。特にサイフォン排水システムでは、用いられるサイフォン排水管の口径が従来の勾配排水システムの排水管の口径と比較して小さいので、本発明の排水トラップを用いる必要性が高い。なお、従来の勾配排水システムに本発明の排水トラップを適用する場合には、通気部３６には通気弁３６Ｂは必ずしも取り付ける必要はなく、蓋部材を取り付ければよい。
【００３６】
［第２実施形態］
【００３７】
次に、本発明の第２実施形態について説明する。本実施形態では、第１実施形態と同様の部分については同一の符号を付し、その詳細な説明は省略する。
【００３８】
本実施形態では、封水流路部２２の下流部２８の構成、及び、異物流入防止部材の取付位置が、第１実施形態と異なっている。
【００３９】
図３（Ａ）に示されるように、封水流路部２２の下流部２８は、互いに別体の上流口部２８Ａと下流口部２８Ｂとに分割されている。図３（Ｂ）にも示されるように、上流口部２８Ａの外径は下流口部２８Ｂの内径よりも僅かに小径とされ、下流口部２８Ｂの外周には雄ネジ２８Ｎが形成されている。上流口部２８Ａの外周には、ナット５０が配置され、ナット５０の内周下部にはシールリング５２が配置されている。
【００４０】
上流口部２８Ａの先端内周には、異物流入防止部材５６が嵌合されている。上流口部２８Ａの下流側内周には、径方向内側に向かって凸となる受部２８Ｕが形成されており、異物流入防止部材５６は受部２８Ｕに突き当てられるように配置されている。異物流入防止部材５６は、円筒状の筒部４２を有し、筒部４２の内側には、十字状のリブ４６が形成されている。リブ４６の上流側の端面４６Ｆは、鉛直方向下側を向いている。
【００４１】
上流口部２８Ａと下流口部２８Ｂとを連結させる際には、上流口部２８Ａの先端を下流口部２８Ｂに挿入し、ナット５０を下流口部２８Ｂの雄ネジ２８Ｎに螺合させて締め付ける。これにより、ナット５０の底部と下流口部２８Ｂの先端との間でシールリング５２が弾性変形し、上流口部２８Ａと下流口部２８Ｂとが連結される。
【００４２】
本実施形態においても、排水トラップ２０の排水路１６を流れる排水内に混入する異物は、異物流入防止部材５６により下流側への移動が防止される。そして、流入が防止された異物は最下部２６Ｂへ向かって落ちるので、異物の堆積による異物流入防止部材５６の目詰まりが抑制され、スムーズに排水を行うことができる。
【００４３】
また、本実施形態では、異物流入防止部材５６が、上流口部２８Ａと下流口部２８Ｂとの連結部分に配置されているので、異物流入防止部材５６を容易に配設することができる。
【００４４】
なお、本実施形態では、封水流路部２２の下流部２８を分割させた構成で説明したが、異物流入防止部材を配置することが可能な他の位置、例えば、封水流路部２２と高水位流路部３０の間や、高水位流路部３０の高位部３２を同様に分割可能に構成することもできる。
【符号の説明】
【００４５】
１２   水廻り器具
１４   器具排水管
１６   排水路
２０   排水トラップ
２２   封水流路部
２２Ｐ 下流側満水水面
２６Ｂ 最下部
２８Ａ 上流口部
２８Ｂ 下流口部
３０   高水位流路部
３２Ｐ 最高水位到達部
４０   異物流入防止部材
４２   筒部
４４   リブ（異物流入防止部材）
４４Ｆ  端面
５６   異物流入防止部材
Ｅ  異物流入防止部材設置範囲
【図１】
0005901594.tif 000002
【図２】
0005901594.tif 000003
【図３】
0005901594.tif 000004